(57)【特許請求の範囲】
【請求項１】
中央部に載置溝（１１２）が一定の深さに形成され、前記載置溝（１１２）を挟んでガイド孔（１１４）がそれぞれ形成され、ユーザーが両足を置いて立ち上がるボード本体（１００）；
前記ボード本体（１００）の載置溝（１１２）に載置される回転板（２１０）と、中央部の上・下面にスラストベアリング（２４０）がそれぞれ載置され、左右両端部には中空の羽根（２２２）が一体に備えられた支持部材（２２０）と、前記回転板（２１０）及び支持部材（２２０）を貫通してナット部材（２３２）に結合されるボルト部材（２３０）と、を含んで構成され、スケートボードのユーザーが片足を置いて方向を転換する中央回転部（２００）；
前記ボード本体（１００）の一側のガイド孔（１１４）に載置される足場（３１０）と、中央部の上・下面にスラストベアリング（３５０）がそれぞれ載置され、左右両端部には中空の羽根（３２２）が一体に備えられた支持部材（３２０）と、前記足場（３１０）及び前記支持部材（３２０）を貫通してナット部材（３６０）と結合されるボルト部材（３３０）と、上端の水平延長部（３４２）が前記支持部材（３２０）の下面に結合され、前記水平延長部（３４２）と一体に形成された胴体（３４４）の左右両端部にホイール（３４６）が回動可能に備えられたホイール組立体（３４０）と、を含み、前記ボード本体（１００）の中央部を中心に一側に備えられ、前記足場（３１０）の左右往復運動を通じて前記ボード本体（１００）を移動させる第１足場部（３００）；
前記ボード本体（１００）の他側のガイド孔（１１４）に載置される足場（４１０）と、中央部の上・下面にスラストベアリング（４５０）がそれぞれ載置され、左右両端部には中空の羽根（４２２）が一体に備えられた支持部材（４２０）と、前記足場（４１０）及び前記支持部材（４２０）を貫通してナット部材（４６０）と結合されるボルト部材（４３０）と、上端の水平延長部（４４２）が前記支持部材（４２０）の下面に結合され、前記水平延長部（４４２）と一体に形成された胴体（４４４）の左右両端部にホイール（４４６）が回動可能に備えられたホイール組立体（４４０）と、を含み、前記ボード本体（１００）の中央部を中心に他側に備えられ、前記足場（４１０）の左右往復運動を通じて前記ボード本体（１００）を移動させる第２足場部（４００）；及び
前記ボード本体（１００）と前記ホイール組立体（３４０）（４４０）との間に備えられ、前記支持部材（２２０）（３２０）（４２０）の左右往復運動をガイドする弾性ガイド部（５００）；を含んで構成される自体推進力の提供が可能なスケートボード。
【請求項２】
前記ボード本体（１００）の左右両端部は、上方に傾斜するように折り曲げられた形態を備えたことを特徴とする、請求項１に記載の自体推進力の提供が可能なスケートボード。
【請求項３】
前記ボード本体（１００）の縁部には、ユーザーが手を入れて掴んで移動させるための取っ手孔（１１６）が少なくとも一つ以上備えられたことを特徴とする、請求項２に記載の自体推進力の提供が可能なスケートボード。
【発明の詳細な説明】
【技術分野】
【０００１】
本発明は、スケートボードに関し、特に、両足を全てボード本体上部の足場に乗せた状態で両足を開いたり閉じたりする動作を繰り返すことによってスケートボードの移動が行われ、安全事故の危険が減少し、使用時に中心を取りやすく、移動速度を向上させると共に、必要に応じて、スケートボードを使用しながらスケートボードの進行方向を反対方向に転換できるように構成された自体推進力の提供が可能なスケートボードに関する。
【背景技術】
【０００２】
一般に、スケートボード（Ｓｋａｔｅ  ｂｏａｒｄ）は、細く且つ長いプレートの前後に４個の車輪を付け、片足で地面を蹴って走行するスポーツ用品であって、特に、両足を同時に乗せた後、丘などを滑り下りる乗り物である。
【０００３】
すなわち、スケートボードは、長い楕円形のプレートと、このプレートの底面にローラーが２個ずつ備えられた２個の車輪セットとで構成されている。従来のスケートボードは、平地走行中には、ユーザーが片足で地面を蹴って進む推進力によってスケートボードの走行が行われるようになっており、走行中に回転するときは、ユーザーが足でボードを進行方向に対して左右側面に傾かせたり、又はユーザーの体を傾かせることによってスケートボードを回転させる方法でスケートボードを楽しんでいる。
【０００４】
このようなスケートボードを用いる場合、推進力を得るためには、ユーザーが片足をボードに乗せた状態でもう片方の足を用いて地面に接触させてから地面から離す動作を繰り返して行わなければならないという不便がある。
【０００５】
すなわち、ユーザーがいずれか一つの足で継続して地面を蹴って進んだときに持続的な推進力を得られるようになっており、ユーザーが地面を蹴って進む過程でもう片方の足で重心を取らなければならないので、中心均衡が崩れやすく、安全事故の危険が高い。また、地面を蹴って進むためには持続的に片足を上下に移動させながら押さなければならないので、疲れやすくなるという多くの不便がある。
【０００６】
また、スケートボードに乗る場合、片足で支持した状態でもう片方の足で地面を蹴って進むので、地面を蹴って進む動作又は地面を蹴って進んでいた片足をスケートボードのプレートに乗せる動作において中心を取りにくい。その結果、熟練者でない限り、スケートボードに乗ることが容易でないという問題がある。
【０００７】
また、従来のスケートボードは、上述したように、片足で支持した状態でもう片方の足で地面を蹴って進むので、その速度が平地で限定（約１０ｋｍ〜１５ｋｍ）され、より高速にスケートボードを楽しむには限界があった。
【先行技術文献】
【特許文献】
【０００８】
【特許文献１】韓国公開特許第１０−２００９−０００５６３３号公報
【特許文献２】韓国公開特許第１０−２００９−００２２７９１号公報
【特許文献３】韓国登録特許第１０−１４７９１９７号公報
【発明の概要】
【発明が解決しようとする課題】
【０００９】
本発明は、前記のような従来技術の問題を勘案してなされたものであって、本発明の目的は、スケートボードの推進力を得るためにユーザーが片足をボードに乗せた後、もう片方の足を用いて地面に接触させてから地面から離す動作を繰り返して行う不便が解消され得る自体推進力の提供が可能なスケートボードを提供することにある。
【００１０】
本発明の他の目的は、安全事故の危険が減少し、スケートボードの使用過程で疲れやすくなることを防止できる自体推進力の提供が可能なスケートボードを提供することにある。
【００１１】
本発明の更に他の目的は、スケートボードの使用時に中心を取りやすいので、年齢に関係なく、容易にスケートボードに乗ることができる自体推進力の提供が可能なスケートボードを提供することにある。
【００１２】
本発明の更に他の目的は、ホイールの回転速度を高め、スケートボードの移動速度を高めることができる自体推進力の提供が可能なスケートボードを提供することにある。
【００１３】
本発明の更に他の目的は、スケートボードを使用しながら進行方向を反対方向に転換できる自体推進力の提供が可能なスケートボードを提供することにある。
【００１４】
本発明の更に他の目的は、両足を開いたり閉じたりする動作を繰り返して行うことによって、男女大人の健康の象徴である太ももの筋肉の強化を図ることができる自体推進力の提供が可能なスケートボードを提供することにある。
【００１５】
本発明の更に他の目的は、必要に応じてユーザーが随時に姿勢を変え、スケートボードの使用過程で多様な姿勢変更が可能な自体推進力の提供が可能なスケートボードを提供することにある。
【課題を解決するための手段】
【００１６】
前記のような本発明の目的を達成するために、中央部に載置溝１１２が一定の深さに形成され、前記載置溝１１２を挟んでガイド孔１１４がそれぞれ形成され、ユーザーが両足を置いて立ち上がるボード本体１００；前記ボード本体１００の載置溝１１２に載置される回転板２１０と、中央部の上・下面にスラストベアリング２４０がそれぞれ載置され、左右両端部には中空の羽根２２２が一体に備えられた支持部材２２０と、前記回転板２１０及び支持部材２２０を貫通してナット部材２３２に結合されるボルト部材２３０とを含んで構成され、スケートボードのユーザーが片足を置いて方向を転換する中央回転部２００；前記ボード本体１００の一側のガイド孔１１４に載置される足場３１０と、中央部の上・下面にスラストベアリング３５０がそれぞれ載置され、左右両端部には中空の羽根３２２が一体に備えられた支持部材３２０と、前記足場３１０及び前記支持部材３２０を貫通してナット部材３６０と結合されるボルト部材３３０と、上端の水平延長部３４２が前記支持部材３２０の下面に結合され、前記水平延長部３４２と一体に形成された胴体３４４の左右両端部にホイール３４６が回動可能に備えられたホイール組立体３４０とを含み、前記ボード本体１００の中央部を中心に一側に備えられ、前記足場３１０の左右往復運動を通じて前記ボード本体１００を移動させる第１足場部３００；前記ボード本体１００の他側のガイド孔１１４に載置される足場４１０と、中央部の上・下面にスラストベアリング４５０がそれぞれ載置され、左右両端部には中空の羽根４２２が一体に備えられた支持部材４２０と、前記足場４１０及び前記支持部材４２０を貫通してナット部材４６０と結合されるボルト部材４３０と、上端の水平延長部４４２が前記支持部材４２０の下面に結合され、前記水平延長部４４２と一体に形成された胴体４４４の左右両端部にホイール４４６が回動可能に備えられたホイール組立体４４０とを含み、前記ボード本体１００の中央部を中心に他側に備えられ、前記足場４１０の左右往復運動を通じて前記ボード本体１００を移動させる第２足場部４００；及び前記ボード本体１００と前記ホイール組立体３４０、４４０との間に備えられ、前記支持部材２２０、３２０、４２０の左右往復運動をガイドする弾性ガイド部５００；を含む自体推進力の提供が可能なスケートボードが提供される。
【００１７】
本発明において、前記ボード本体１００の左右両端部は、上方に傾斜するように折り曲げられた形態を備える。
【００１８】
本発明において、前記ボード本体１００の縁部には、ユーザーが手を入れて掴んで移動させるための取っ手孔１１６が少なくとも一つ以上備えられる。
【００１９】
本発明において、前記支持部材２２０、３２０、４２０の左右両端部には、ガイダー５１４の左右往復運動を円滑にするための合成樹脂製ブッシング２２４、３２４、４２４がそれぞれ挿入される。
【００２０】
本発明において、前記弾性ガイド部５００は、棒状を有するアルミニウム（Ａｌ）材質の心材５１２と；前記心材が挿入されるステンレス（ｓｕｓ）材質のガイダー５１４と；前記ガイダー５１４の両側外周面を覆うようにそれぞれ備えられる大小コイルスプリング５２０、５２２と；前記ガイダー５１４が順次貫通する仕上げ部材５３０及びスプリング収納部材５４０と；前記ガイダー５１４に締結されるボルト部材５５０と；を含む。
【発明の効果】
【００２１】
前記のような本発明に係る自体推進力の提供が可能なスケートボードによると、次のような効果がある。
【００２２】
第一、両足を全てボード本体１００上部の足場３１０、４１０に乗せた状態で両足を開いたり閉じたりする動作を繰り返すことによってスケートボードの移動が行われるので、従来のスケートボードの推進力を得るためにユーザーが片足をボードに乗せた後、もう片方の足を用いて地面に接触させてから地面から離す動作を繰り返して行う不便が解消される。
【００２３】
第二、ユーザーがいずれか一つの足で継続して地面を蹴って進まなくてもよいので、安全事故の危険が減少し、スケートボードの使用過程で疲れやすくなることが防止される。
【００２４】
第三、両足を全てスケートボード上部の足場３１０、４１０に乗せた状態で両足を開いたり閉じたりする動作を通じてスケートボードの移動が行われることによって、スケートボードの使用時に中心を取りやすいので、年齢に関係なく、容易にスケートボードに乗ることができる。
【００２５】
第四、足場３１０、４１０に乗せた両足を開いたり閉じたりする動作を迅速に繰り返すことによってホイール３４６、４４６の回転速度を高め、スケートボードの移動速度を高めることができる。
【００２６】
第五、スケートボードの使用中に、必要に応じて第１足場部３００の足場３１０にあった左足を回転板２１０に置いた後、体を１８０度回転させ、第２足場部４００の足場４１０にあった右足を上げて第１足場部３００の足場３１０に置くことによって、スケートボードを使用しながらスケートボードの進行方向を反対方向に転換することができる。
【００２７】
第六、両足を開いたり閉じたりする動作を繰り返して行うことによって、男女大人の健康の象徴である太ももの筋肉の強化を図ることができる。
【００２８】
第七、回転板２１０及び足場３１０、４１０が回転可能な構造を有することによって、必要に応じてユーザーが随時に姿勢を変え（１８０度）、スケートボードの使用過程で多様な姿勢変更が可能である。
【図面の簡単な説明】
【００２９】
【図１】本発明の一実施例に係る自体推進力の提供が可能なスケートボードを示した斜視図である。
【図２】図１に示したスケートボードの部分切開分離斜視図である。
【図３】図１に示したスケートボードの部分切開分離斜視図である。
【図４】本発明に係るスケートボードの平面図である。
【図５】本発明に係るスケートボードにおける大コイルスプリングの圧縮状態を示した正面図である。
【図６】本発明に係るスケートボードにおける第１足場部の設置部位を示した部分拡大断面図である。
【図７】本発明に係るスケートボードにおける中央回転部の設置部位を示した拡大断面図である。
【図８】本発明に係るスケートボードにおける第２足場部の設置部位を示した部分拡大断面図である。
【図９】本発明に係るスケートボードにおける第１及び第２足場部の設置部位を示した側断面図である。
【図１０】本発明に係るスケートボードにおける中央回転部の設置部位を示した側断面図である。
【図１１】本発明に係るスケートボードにおける大コイルスプリングの復元状態を示した正面図である。
【図１２】本発明に係るスケートボードにおける足場の左右移動状態を示した平面図である。
【発明を実施するための形態】
【００３０】
以下、本発明の好適な実施例に係る自体推進力の提供が可能なスケートボードを詳細に説明する。
【００３１】
以下で使用された用語や単語は、通常的又は辞典的な意味に限定して解釈してはならなく、発明者が自分の発明を最善の方法で説明するために用語の概念を適宜定義できるという原則に立脚して、本発明の技術的思想に符合する意味及び概念で解釈すべきであろう。
【００３２】
図１は、本発明の一実施例に係る自体推進力の提供が可能なスケートボードを示した斜視図で、図２及び図３は、それぞれ図１に示したスケートボードの部分切開分離斜視図で、図４は、本発明に係るスケートボードの平面図である。
【００３３】
また、図５は、本発明に係るスケートボードにおける大コイルスプリングの圧縮状態を示した正面図で、図６は、本発明に係るスケートボードにおける第１足場部の設置部位を示した部分拡大断面図で、図７は、本発明に係るスケートボードにおける中央回転部の設置部位を示した拡大断面図である。
【００３４】
また、図８は、本発明に係るスケートボードにおける第２足場部の設置部位を示した部分拡大断面図で、図９は、本発明に係るスケートボードにおける第１及び第２足場部の設置部位を示した側断面図で、図１０は、本発明に係るスケートボードにおける中央回転部の設置部位を示した側断面図である。
【００３５】
また、図１１は、本発明に係るスケートボードにおける大コイルスプリングの復元状態を示した正面図で、図１２は、本発明に係るスケートボードにおける足場の左右移動状態を示した平面図である。
【００３６】
図１〜図１２を参照すると、本発明の一実施例に係る自体推進力の提供が可能なスケートボードは、大きく分けて、ボード本体１００、中央回転部２００、第１足場部３００、第２足場部４００、及び弾性ガイド部５００を含んで構成される。
【００３７】
図１を参照すると、ボード本体１００は、細く且つ長い板の形態を有し、ユーザーが後述する複数の足場３１０、４１０に両足をそれぞれ置いて立ち上がるものであって、左右両端部は、外部の美観を考慮して上方に傾斜するように折り曲げられた形態を有し、中央部には、後述する回転板２１０が載置される円形の載置溝１１２が一定の深さに形成され、この載置溝１１２を挟んで足場３１０、４１０が設置される楕円形のガイド孔１１４がそれぞれ形成され、ボード本体１００の各縁部にユーザーが手を入れて掴んで移動させるための取っ手孔１１６がそれぞれ形成されている。
【００３８】
すなわち、平面から見ると、載置溝１１２の上・下側及びガイド孔１１４の左・右側にそれぞれ取っ手孔１１６が形成されている。このとき、取っ手孔１１６の形成部位は必ずしも４部位に限定されなく、取っ手孔１１６を１個〜４個形成することも可能である。
【００３９】
図１〜図３を参照すると、中央回転部２００は、スケートボードのユーザーが片足を置いて方向を転換するためのものであって、回転板２１０、支持部材２２０、ボルト部材２３０、ナット部材２３２、及び複数のスラストベアリング２４０を含む。
【００４０】
すなわち、上述した載置溝１１２に直径１５０ｍｍの回転板２１０が載置され、ボルト部材２３０が回転板２１０及び支持部材２２０を貫通してナット部材２３２に結合されることによって、回転板２１０が３６０度回動可能な構造を有する。
【００４１】
支持部材２２０は、中央部の上・下面にボルト部材２３０が貫通するスラストベアリング２４０がそれぞれ載置され、左右両端部には、後述する棒組立体５１０が貫通する中空の羽根２２２が一体に形成され、支持部材２２０の上面はボード本体１００に多数のスクリュー（図示せず）を通じて固定される。
【００４２】
一方、中央回転部２００は、スラストベアリング２４０を含まない場合、回転機能を具現しないことも可能である。すなわち、必要に応じて、回転機能なしで固定機能のみを具現することが可能である。
【００４３】
図１、図２、図６を参照すると、第１足場部３００は、ボード本体１００の中央部を中心に一側に備えられ、足場３１０の左右往復運動を通じてボード本体１００を移動させると共に、足場３１０の自体回転が可能なものであって、足場３１０、支持部材３２０、ボルト部材３３０、ホイール組立体３４０、複数のスラストベアリング３５０、ナット部材３６０、及びワッシャー３７０を含む。
【００４４】
すなわち、一側のガイド孔１１４上に円形を有する直径２００ｍｍの足場３１０が載置され、ボルト部材３３０が足場３１０及び支持部材３２０を貫通してナット部材３６０と結合される。
【００４５】
このとき、支持部材３２０は、中央部の上・下面にボルト部材３３０が貫通するスラストベアリング３５０がそれぞれ載置され、左右両端部には、後述する棒組立体５１０が貫通する中空の羽根３２２が一体に形成される。これによって、足場３１０は、支持部材３２０の上面で回転可能な構造を有する。
【００４６】
ホイール組立体３４０は、Ｕ字状の断面を有する上端の水平延長部３４２が支持部材３２０の下面に多数のスクリュー（図６の３４８）を通じて結合され、水平延長部３４２と一体に形成された胴体３４４の左右両端部にはホイール３４６がベアリング（図示せず）で結合されることによって回動可能な構造を有する。このとき、前記ベアリングは、一方向に回転できるニードルクラッチベアリングであることが好ましい。
【００４７】
一方、第１足場部３００は、スラストベアリング３５０を含まない場合、回転機能を具現しないことも可能である。すなわち、必要に応じて、回転機能なしで固定機能のみを具現することが可能である。
【００４８】
図１、図３、図７を参照すると、第２足場部４００は、ボード本体１００の中央部を中心に他側に備えられ、足場４１０の左右往復運動を通じてボード本体１００を移動させると共に、足場４１０の自体回転が可能なものであって、足場４１０、支持部材４２０、ボルト部材４３０、ホイール組立体４４０、複数のスラストベアリング４５０、ナット部材４６０、及びワッシャー４７０を含む。
【００４９】
すなわち、他側のガイド孔１１４上に直径２００ｍｍの足場４１０が載置され、ボルト部材４３０が足場４１０及び支持部材４２０を貫通してナット部材４６０と結合される。
【００５０】
このとき、支持部材４２０は、中央部の上・下面にボルト部材４３０が貫通するスラストベアリング４５０がそれぞれ載置され、左右両端部には、後述する棒組立体５１０が貫通する中空の羽根４２２が一体に形成される。これによって、足場４１０は、支持部材４２０の上面で回転可能な構造を有する。
【００５１】
ホイール組立体４４０は、上端の水平延長部４４２が支持部材４２０の下面に多数のスクリュー（図８の４４８）を通じて結合され、水平延長部４４２と一体に形成された胴体４４４の左右両端部にはホイール４４６がベアリング（図示せず）で結合されることによって回動可能な構造を有する。このとき、前記ベアリングも、一方向に回転できるニードルクラッチベアリングであることが好ましい。
【００５２】
一方、第２足場部４００は、スラストベアリング４５０を含まない場合、回転機能を具現しないことも可能である。すなわち、必要に応じて、回転機能なしで固定機能のみを具現することが可能である。
【００５３】
図２及び図３を参照すると、弾性ガイド部５００は、ボード本体１００とホイール組立体３４０、４４０との間に備えられ、支持部材２２０、３２０、４２０の左右往復運動をガイドするものであって、棒組立体５１０、大小コイルスプリング５２０、５２２、仕上げ部材５３０、スプリング収納部材５４０、ボルト部材５５０、及びナット部材５６０を含む。
【００５４】
棒組立体５１０は、左右１対に備えられ、棒状を有するアルミニウム（Ａｌ）材質の心材５１２がより大きい直径を有する中空のステンレス（ｓｕｓ）材質のガイダー５１４に挿入され、このガイダー５１４は、上述した支持部材２２０、３２０、４２０の羽根２２２、３２２、４２２を貫通し、心材５１２は、ガイダー５１４の内部でガイダーの耐久性を高める役割をする。
【００５５】
また、ガイダー５１４の両側端部には、後述するボルト部材５５０がねじ結合されるねじ孔（図示せず）がそれぞれ形成されている。
【００５６】
このとき、心材５１２及びガイダー５１４の材質をそれぞれアルミニウム及びステンレスとした理由は重量を減少させるためであり、棒組立体５１０を心材５１２とガイダー５１４の組合体の代わりにステンレス材質の単一構造体として構成することも可能である。
【００５７】
また、支持部材３２０、４２０の左右両端部には、ガイダー５１４の左右往復運動を円滑にするためにＴ字状の断面を有する合成樹脂製ブッシング３２４、４２４をそれぞれ挿入させることも可能であり、他の支持部材２２０にもブッシング（図７の２２４）を使用することができる。
【００５８】
一方、大コイルスプリング５２０がガイダー５１４の両側外周面を覆うようにそれぞれ備えられ、この大コイルスプリング５２０の一端は後述する仕上げ部材５３０に接触し、大コイルスプリング５２０の他端部は支持部材３２０、４２０の外側端部と接触する。
【００５９】
また、支持部材２２０の左右両端部には、小コイルスプリング５２２がガイダー５１４の両側外周面を覆うようにそれぞれ備えられ、この小コイルスプリング５２２は、支持部材３２０、４２０が左右往復運動する過程で支持部材２２０に直接接触することを防止し、弾性作用を通じて支持部材３２０、４２０が左右によりスムーズに移動することを促進させる。
【００６０】
仕上げ部材５３０は、Ｌ字状の断面を有し、左右両端部に貫通孔５３２が備えられており、ガイダー５１４の一部がこの貫通孔５３２を貫通して後述するスプリング収納部材５４０に大コイルスプリング５２０と共に収納され、仕上げ部材５３０の上面はボード本体１００に多数のスクリュー（図示せず）を通じて固定される。
【００６１】
スプリング収納部材５４０は中空の円筒状を有し、先端部が仕上げ部材５３０に溶接によって固定され、ガイダー５１４が仕上げ部材５３０を貫通してスプリング収納部材５４０の内部でボルト部材５５０に締結される。すなわち、ガイダー５１４は、仕上げ部材５３０及びスプリング収納部材５４０を順次貫通してボルト部材５５０に締結される。
【００６２】
一方、図面には示していないが、本発明に係るスケートボードにブレーキ機能を付与することができる。すなわち、両側のスプリング収納部材５４０の間で約８０ｍｍの高さを有するウレタン素材の摩擦部材（図示せず）をボード本体１００の下面にボルト部材を通じて締結する場合、必要に応じて、ユーザーがボード本体１００の前方又は後方を足で加圧することによって、前記摩擦部材が地面と当接し、スケートボードの速度を減少させることが可能であり、図２、図３中の未説明符号２５０、３７０、４７０はワッシャーである。
【００６３】
以下では、前記のような構成を有する本発明の作用を説明する。
【００６４】
図１２を参照すると、本発明に係るスケートボードの足場３１０、４１０、支持部材３２０、４２０、及びホイール組立体３４０、４４０は、大コイルスプリング５２０の復元力によってガイド孔１１４を介して回転板２１０付近に移動し、それぞれ回転板２１０の一部を遮っている状態である。
【００６５】
このような状態で、まず、ユーザーは、ボード本体１００の取っ手孔１１６を掴んで所望の場所に移動し、スケートボードを地面に置いた後、両足を足場３１０、４１０に乗せる。その後、両足を開いたり閉じたりする動作を順次繰り返すことによって、支持部材３２０、４２０は、ガイダー５１４の外周面に沿って中央回転部２００の支持部材２２０を中心にその間隔が広がったり狭められ、これと同時に、大コイルスプリング５２０が圧縮又は復元されながらホイール３４６、４４６が回転することによってスケートボードが一方向（前方向）に動く。
【００６６】
すなわち、両足を足場３１０、４１０に乗せた状態で両足を開いたり閉じたりする動作を順次繰り返すことによって、スケートボードに自体推進力が発生しながらスケートボードが動くことが可能である。
【００６７】
このとき、ホイール組立体３４０、４４０に適用されたベアリングは、一方向回転が可能なニードルクラッチベアリングであるので、ユーザーが両足を足場３１０、４１０に乗せた状態で両足を開いたり閉じたりする動作を順次繰り返すことによって足場３１０、４１０の間隔が狭められたり広がりながら、両足を開いたり閉じたりする動作を速く行うほど推進力が倍加され、ホイール３４６、４４６が一方向（前方向）に回転する速度を高め、スケートボードの移動速度を高めることができる（約１５ｋｍ〜２０ｋｍ）。
【００６８】
また、ユーザーが両足を足場３１０、４１０に乗せた状態で両足を開いたり閉じたりする動作を繰り返す過程で相対的に両足の間隔が広い場合より大きい回転角でボード本体１００を回転させることが可能であり、相対的に両足の間隔が狭い場合より小さい回転角でボード本体１００を回転させることが可能である。これによって、スケートボードの使用過程で急カーブ回転又は緩やかな回転を図ることができる。
【００６９】
一方、前記のようにスケートボードの使用中にユーザーが進行方向を転換しようとするとき、利き足が右足である場合を例に挙げて説明すると、片足、すなわち、第１足場部３００の足場３１０にあった左足を回動可能な前記回転板２１０に置いた後、体を１８０度回転させ、第２足場部４００の足場４１０にあった右足を上げて第１足場部３００の足場３１０に置いた後、上述したように、両足を開いたり閉じたりする動作を繰り返すことによって大コイルスプリング５２０が圧縮又は復元され、これと同時に、ホイール３４６、４４６が回転しながらスケートボードが他方向（後方向）に動くので、スケートボードの進行方向を反対方向に転換することができる。
【００７０】
前記のような過程で、本発明によると、両足を全てボード本体１００上部の足場３１０、４１０に乗せた状態で両足を開いたり閉じたりする動作を繰り返すことによってスケートボードの移動が行われる。これによって、従来のスケートボードの推進力を得るために、ユーザーが片足をボードに乗せた後、もう片方の足を用いて地面に接触させてから地面から離す動作を繰り返して行う不便が解消される。
【００７１】
また、ユーザーがいずれか一つの足で継続して地面を蹴って進まなくてもよいので、安全事故の危険が減少し、スケートボードの使用過程で疲れやすくなることが防止される。
【００７２】
また、両足を全てスケートボード上部の足場３１０、４１０に乗せた状態で両足を開いたり閉じたりする動作を通じてスケートボードの移動が行われることによって、スケートボードの使用時に中心を取りやすくなるので、年齢に関係なく、容易にスケートボードに乗ることができる。
【００７３】
また、足場３１０、４１０に乗せた両足を開いたり閉じたりする動作を迅速に繰り返すことによって、ホイール３４６、４４６の回転速度を高め、スケートボードの移動速度を高めることができる。
【００７４】
また、両足を開いたり閉じたりする動作を繰り返して行うことによって、男女大人の健康の象徴である太ももの筋肉の強化を図ることができる。
【００７５】
また、回転板２１０及び足場３１０、４１０が回転可能な構造を有することによって、必要に応じてユーザーが随時に姿勢を変え（１８０度）、スケートボードの使用過程で多様な姿勢変更が可能である。
【００７６】
また、スケートボードの使用中に、必要に応じて第１足場部３００の足場３１０にあった左足を回転板２１０に置いた後、体を１８０度回転させ、第２足場部４００の足場４１０にあった右足を上げて第１足場部３００の足場３１０に置くことによって、スケートボードを使用しながらスケートボードの進行方向を反対方向に転換することができる。
【００７７】
このように、本発明に係る自体推進力の提供が可能なスケートボードを例示した図面を参照して説明したが、本発明は、本明細書に開示した実施例及び図面によって限定されるものではなく、発明の技術思想範囲内で当業者によって多様な変形が可能であることは当然である。
【符号の説明】
【００７８】
１００    ボード本体    １１２    載置溝
１１４    ガイド孔    １１６    取っ手孔
２００    中央回転部    ２１０    回転板
２２０、３２０、４２０    支持部材    ２２２、３２２、４２２    羽根
３００    第１足場部    ３１０、４１０    足場
３４０、４４０    ホイール組立体    ３４６、４４６    ホイール
４００    第２足場部    ５００    弾性ガイド部
５１０    棒組立体    ５２０    大コイルスプリング
５２２    小コイルスプリング    ５３０    仕上げ部材
５３２    貫通孔    ５４０    スプリング収納部材
【図１】
0006706782.tif 000002
【図２】
0006706782.tif 000003
【図３】
0006706782.tif 000004
【図４】
0006706782.tif 000005
【図５】
0006706782.tif 000006
【図６】
0006706782.tif 000007
【図７】
0006706782.tif 000008
【図８】
0006706782.tif 000009
【図９】
0006706782.tif 000010
【図１０】
0006706782.tif 000011
【図１１】
0006706782.tif 000012
【図１２】
0006706782.tif 000013